【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
発信元コンピュータとインターネット間の通信トラフィックを監視及び／又は制御するシステムであって、該システムは：
オプトイン／オプトアウト機能を有し、該オプトイン／オプトアウト機能は、
オプトイン機能が選択された時、
一つの発信元コンピュータに対する１つ以上の一意の識別子、およびユーザに関する情報を受信し、
前記一意の識別子を含むリクエストに応答してアドレスを割り当てるコンピュータにより前記発信元コンピュータに対し割り当てられたアドレスに関する情報を受信し、
前記一意の識別子と前記割り当てられたアドレスとを関連付け、
オプトアウト機能が選択された時、
前記割り当てられたアドレスと前記一意の識別子を解析することなく前記発信元コンピュータとインターネット間の通信トラフィック流入を許容するように構成された、
インターネットアプライアンスと；
前記オプトイン機能が選択された時であって、かつ前記オプトアウト機能が選択されていない時、前記関連付けられた情報の少なくとも一部に基づき発信元コンピュータとインターネット間の通信トラフィックを制御するプロセッサ；を備え、
前記プロセッサは前記ユーザに関する情報のテーブル又はデータベースを調べ、前記一意の識別子を介して、前記発信元コンピュータからインターネット向け、または、その逆方向の通信を前記ユーザに関する１つ以上の情報を基に修正する、
システム。
【請求項２】
前記インターネットアプライアンスは、前記オプトアウト機能が選択された時、発信元コンピュータに関する情報を無視する、
請求項１のシステム。
【請求項３】
前記オプトアウト機能は可変設定機能により選択される、
請求項２のシステム。
【請求項４】
前記ユーザに関する情報は、前記発信元コンピュータに、又は前記発信元コンピュータから送られた１個以上のパケットから得られた情報を含む、
請求項１乃至請求項３のシステム。
【請求項５】
前記１個以上のパケットから得られた情報は、１つ以上の、ウェブサイト、発信ＩＰアドレス、宛先ＩＰアドレス、検索ターム、ホットワード、キーワード、地理的ロケーション、又は電話番号に関連している、
請求項４のシステム。
【請求項６】
前記ユーザに関する情報は、ユーザの嗜好に関連している、
請求項１乃至請求項５のシステム。
【請求項７】
前記プロセッサは、前記ユーザに関連する個人化情報を含むランディングページに通信トラフィックを向ける、
請求項１乃至請求項６のシステム。
【請求項８】
前記プロセッサは、前記関連付けられた情報に少なくとも部分的に基づいて前記ユーザに個人化サービスを提供する、
請求項１乃至請求項７のシステム。
【請求項９】
前記システムは、発信元コンピュータの格納装置もしくは格納媒体に情報を置かないか、又は情報を置かせない、
請求項１乃至請求項８のシステム。
【請求項１０】
前記インターネットアプライアンスは、前記発信元コンピュータにアドレスを割り当てるコンピュータと前記発信元コンピュータ間に置かれる、
請求項１乃至請求項９のシステム。
【請求項１１】
前記プロセッサと前記インターネットアプライアンスは同じ装置として実装される、
請求項１乃至請求項１０のシステム。
【請求項１２】
前記プロセッサと前記インターネットアプライアンスは分離した装置である、
請求項１乃至請求項１０のシステム。
【請求項１３】
前記一意の識別子は、ＭＡＣアドレス、回路ＩＤ、またはデジタル認証のうち１つ以上に対応する、
請求項１乃至請求項１２のシステム。
【請求項１４】
発信元コンピュータとインターネット間の通信トラフィックを監視及び／又は制御するシステムであって、該システムは：
一つの発信元コンピュータに対する１つ以上の一意の識別子、およびユーザに関する情報を受信する手段と；
前記一意の識別子を含むリクエストに応答してアドレスを割り当てるコンピュータにより前記発信元コンピュータに対し割り当てられたアドレスに関する情報を受信する手段と；
前記一意の識別子と前記割り当てられたアドレスとを関連付ける手段、前記発信元コンピュータでおいてユーザが前記ユーザに関する情報を受信する手段、前記アドレスを割り当てたコンピュータによって受信する手段、および前記アドレスとを関連つける手段を選択して活性化し、または選択しないで不活性化する手段と；
前記一意の識別子及び前記ユーザに関する情報を受信する手段、前記割り当てられたアドレス情報を受信する手段、及び前記アドレスとを関連付ける手段が活性化されており、かつ不活性化されていない時、前記関連付けられた情報の少なくとも一部に基づき前記発信元コンピュータと前記インターネット間の通信トラフィックを制御する手段と；を備え、
前記通信トラフィックを制御する手段は、前記ユーザに関する情報のテーブル又はデータベースを調べ、前記一意の識別子を介して、前記発信元コンピュータから前記インターネットに向け、または、その逆方向の通信を前記ユーザに関する１つ以上の情報を基に修正する、
システム。
【請求項１５】
前記一意の識別子と前記割り当てられたアドレスとを関連付ける手段の不活性化は、前記オプトアウト機能が選択された時、前記発信元コンピュータに関する情報を無視する、
請求項１４のシステム。
【請求項１６】
前記一意の識別子と前記割り当てられたアドレスとを関連付ける手段の不活性化は、可変設定機能により選択される、
請求項１５のシステム。
【請求項１７】
前記ユーザに関する情報は、前記発信元コンピュータに向け、又は前記発信元コンピュータから送られた１個以上のパケットから得られる情報を含む、
請求項１４乃至請求項１６のシステム。
【請求項１８】
前記１個以上のパケットから得られる情報は、１つ以上の、ウェブサイト、発信ＩＰアドレス、宛先ＩＰアドレス、検索ターム、ホットワード、キーワード、地理的ロケーション、又は電話番号に関連している、
請求項１７のシステム。
【請求項１９】
前記ユーザに関する情報は、ユーザの嗜好に関連している、
請求項１４乃至請求項１８のシステム。
【請求項２０】
前記通信トラフィックを制御する手段は、前記ユーザに関連する個人化情報を更に含むランディングページに通信トラフィックを向ける、
請求項１４乃至請求項１９のシステム。
【請求項２１】
前記通信トラフィックを制御する手段は、前記関連付けられた情報に少なくとも部分的に基づいて前記ユーザに個人化サービスを提供する手段を更に含む、
請求項１４乃至請求項２０のシステム。
【請求項２２】
前記一意の識別子は、ＭＡＣアドレス、回路ＩＤ、デジタル認証、またはクッキーのうち１つ以上に対応する、
請求項１４乃至請求項２１のシステム。
【請求項２３】
発信元コンピュータとインターネット間の通信トラフィックを監視及び／又は制御する方法であって、該方法は：
通信を解析するオプションをユーザに提供する工程と；
前記ユーザが通信を解析することを選択した場合、
前記オプションをユーザに提供する工程は、
一つの発信元コンピュータに対し１つ以上の一意の識別子、およびユーザに関する情報を受信する部分工程、
前記一意の識別子を含むリクエストに応答してアドレスを割り当てるコンピュータにより前記発信元コンピュータに対し割り当てられたアドレスに関する情報を受信する部分工程、並びに
前記一意の識別子と前記割り当てられたアドレスとを関連付ける部分工程を有し、
前記ユーザが通信を解析することを選択しない場合、
前記オプションをユーザに提供する工程は、
前記割り当てられたアドレスと前記一意の識別子を解析することなく前記発信元コンピュータとインターネット間の通信トラフィック流入を許容する部分工程を有し、
前記通信を解析することが選択された時であって、かつ解析しないことが選択されない時、前記関連付けられた情報の少なくとも一部に基づき発信元コンピュータとインターネット間の通信トラフィックを制御する工程と；
前記ユーザに関する情報のテーブル又はデータベースを調べ、前記一意の識別子を介して、前記発信元コンピュータからインターネットに向け、または、その逆方向の通信を前記ユーザに関する１つ以上の情報を基に修正する工程と；を備える、
方法。
【請求項２４】
前記方法は、前記ユーザが通信を解析することを選択しなかった時、発信元コンピュータに関する情報を無視する、
請求項２３の方法。
【請求項２５】
前記通信を解析するオプションが、いくつかの、但し全部でない通信を解析することを可変設定することを含む、
請求項２４の方法。
【請求項２６】
前記発信元コンピュータに向け、又は前記発信元コンピュータから送られた１個以上のパケットから得られたユーザに関する情報を更に含む、
請求項２３乃至請求項２５の方法。
【請求項２７】
前記１個以上のパケットから得られた情報は、１つ以上の、ウェブサイト、発信ＩＰアドレス、宛先ＩＰアドレス、検索ターム、ホットワード、キーワード、地理的ロケーション、又は電話番号に関連している、
請求項２６の方法。
【請求項２８】
前記ユーザに関する情報は、ユーザの嗜好に関連している、
請求項２３乃至請求項２７の方法。
【請求項２９】
更に、前記ユーザに関連する個人化情報を含むランディングページに通信トラフィックを向ける工程を有する、
請求項２３乃至請求項２８の方法。
【請求項３０】
更に、前記関連付けられた情報に少なくとも部分的に基づいて前記ユーザに個人化サービスを提供する工程を含む、
請求項２３乃至請求項２９の方法。
【請求項３１】
前記一意の識別子は、ＭＡＣアドレス、回路ＩＤ、デジタル認証、またはクッキーのうちの１つ以上に対応する、
請求項２３乃至請求項３０の方法。
【請求項３２】
マシンにより可読可能なコンピュータプログラム格納装置であり、発行元コンピュータとインターネットの間に置かれたコンピュータによって実行された時、該コンピュータに下記ステップを実行させるコンピュータプログラムを備え、該プログラムは：
ユーザからオプトインまたはオプトアウト命令を受信するステップと；
オプトイン命令を受信した場合、
発信元コンピュータに対する１つ以上の一意の識別子、およびユーザに関する情報を受信する部分ステップ、
前記発信元コンピュータに割り当てられたアドレスに関する情報を前記一意の識別子を含むリクエストに応答して受信する部分ステップ、
前記一意の識別子と前記割り当てられたアドレスとを関連付ける部分ステップ、
前記関連付けられた情報に基づいて前記発信元コンピュータとインターネット間の通信トラフィックを制御する部分ステップ、並びに、
前記ユーザに関する情報のテーブル又はデータベースを調べ、前記一意の識別子を介して、前記発信元コンピュータからインターネットに向け、または、その逆方向の通信を前記ユーザに関する１つ以上の情報を基に修正する部分ステップを有する、
ステップ；を備える、
コンピュータプログラム格納装置。
【手続補正２】
【補正対象書類名】図面
【補正対象項目名】図２
【補正方法】変更
【補正の内容】
【図２】
2009508439.tif 000001